(57)【要約】【課題】  エンジン回転が停止しても問題のない条件が揃ったときのみエンジンの自動停止制御が行われると共に、再始動させる際の操作工数が少ない苗移植機を提供することを目的とする。【解決手段】  走行車体３にエンジン１を設け、走行車体３の後部に昇降リンク機構４を昇降自在に設け、昇降リンク機構４に圃場に苗を植え付ける苗植付部５を設け、苗植付部５の下降を検知する下降検知センサ７を設け、苗植付部５の昇降及び植付を操作する植付操作レバー６を設け、植付操作レバー６の操作位置を検知するレバーポテンショメータ８を設け、レバーポテンショメータ８が「植付下」を検知しているとき、苗植付部５が所定高さまで下降したことを下降検知センサ７が検知すると、所定時間後にエンジン１を停止させる構成とする。【選択図】図６
2014166153.tif 000002
【特許請求の範囲】
【請求項１】
走行車体（３）にエンジン（１）を設け、該走行車体（３）の後部に昇降リンク機構（４）を昇降自在に設け、該昇降リンク機構（４）に圃場に苗を植え付ける苗植付部（５）を設け、該苗植付部（５）の下降を検知する下降検知センサ（７）を設け、該苗植付部（５）の昇降及び植付を操作する植付操作レバー（６）を設け、該植付操作レバー（６）の操作位置を検知するレバーポテンショメータ（８）を設け、
該レバーポテンショメータ（８）が「植付下」を検知しているとき、前記苗植付部（５）が所定高さまで下降したことを下降検知センサ（７）が検知すると、所定時間後に前記エンジン（１）を停止させる構成とすることを特徴とする苗移植機。
【請求項２】
前記レバーポテンショメータ（８）と下降検知センサ（７）が検知状態であるときに、前記エンジン（１）を所定時間後に停止させるか否かを選択する停止選択スイッチ（９）を設け、該停止選択スイッチ（９）を押すと、条件を満たしても前記エンジン（１）が停止しないことを特徴とする請求項１記載の苗移植機。
【請求項３】
前記走行車体（３）の走行状態を「移動速」、「植付速」及び「中立」に切り替える副変速操作レバー（１０）を設け、該副変速操作レバー（１０）の操作位置を検知する副変速ポテンショメータ（１１）を設け、該副変速ポテンショメータ（１１）が副変速操作レバー（１０）の操作位置を「移動速」と検知しているとき、該レバーポテンショメータ（１１）が「植付下」を検知すると共に前記苗植付部（５）が所定高さまで下降したことを下降検知センサ（７）が検知すると、所定時間後に前記エンジン（１）を停止させることを特徴とする請求項１または２に記載の苗移植機。
【請求項４】
前記走行車体の走行状態を「移動速」、「植付速」及び「中立」に切り替える副変速操作レバー（１０）を設け、該副変速操作レバー（１０）の操作位置を検知する副変速ポテンショメータ（１１）を設け、該副変速操作レバー（１０）を、「中立」位置から「駆動停止」に操作可能に構成し、
前記走行車体（３）に操縦者が搭乗する操縦座席（２）を設け、該操縦座席（２）に操縦者の着座を検知する着座センサ（１２）を設け、前記副変速操作レバー（１０）が「駆動停止」位置であり、且つ該着座センサ（１２）が作業者の着座を検知していない状態で所定時間が経過すると前記エンジン（１）を停止させることを特徴とする請求項１または２に記載の苗移植機。
【請求項５】
前記エンジン（１）が停止状態であり、且つ前記副変速操作レバー（１０）が「駆動停止」位置にあるときに、前記着座センサ（１２）が検知状態になるとエンジン（１）を始動させることを特徴とする請求項４に記載の苗移植機。
【発明の詳細な説明】
【技術分野】
【０００１】
この発明は、圃場に苗を植え付ける苗移植機において、エンジン回転が不要である条件が揃うと、自動的にエンジン回転を停止させるものである。
【背景技術】
【０００２】
エンジン停止キーを操作してエンジンの回転を停止する技術（例えば、特許文献１参照）や、走行操作レバーの操作によって所定時間後にエンジンを停止させたり、走行操作レバーやペダルの踏込によってエンジンを再始動させたりする技術（例えば、特許文献２参照）等が知られている。
【先行技術文献】
【特許文献】
【０００３】
【特許文献１】特開２０１２−１５７２８９号公報
【特許文献２】特開２０１２−５５２８２号公報
【発明の概要】
【発明が解決しようとする課題】
【０００４】
前記のように走行操作レバーが所定位置にある状態が所定時間続くことによって、エンジンの自動停止が作動してしまうと、作業者の意図に沿わないタイミングで苗移植機の走行が停止してしまい、作業能率が低下する問題がある。
【０００５】
また、エンジン停止状態から再起動させる際、走行レバーペダルの操作が必要となるので、作業者の操作を要するため、操作性が悪くなる問題がある。
本発明は、上記の問題点を解消し、エンジン回転が停止しても問題のない条件が揃ったときのみエンジンの自動停止制御が行われると共に、再始動させる際の操作工数が少ない苗移植機を提供することを目的とする。
【課題を解決するための手段】
【０００６】
請求項１に記載の発明は、走行車体（３）にエンジン（１）を設け、該走行車体（３）の後部に昇降リンク機構（４）を昇降自在に設け、該昇降リンク機構（４）に圃場に苗を植え付ける苗植付部（５）を設け、該苗植付部（５）の下降を検知する下降検知センサ（７）を設け、該苗植付部（５）の昇降及び植付を操作する植付操作レバー（６）を設け、該植付操作レバー（６）の操作位置を検知するレバーポテンショメータ（８）を設け、該レバーポテンショメータ（８）が「植付下」を検知しているとき、前記苗植付部（５）が所定高さまで下降したことを下降検知センサ（７）が検知すると、所定時間後に前記エンジン（１）を停止させる構成とすることを特徴とする苗移植機とする。
【０００７】
請求項２に記載の発明は、前記レバーポテンショメータ（８）と下降検知センサ（７）が検知状態であるときに、前記エンジン（１）を所定時間後に停止させるか否かを選択する停止選択スイッチ（９）を設け、該停止選択スイッチ（９）を押すと、条件を満たしても前記エンジン（１）が停止しないことを特徴とする請求項１記載の苗移植機とする。
【０００８】
請求項３に記載の発明は、前記走行車体（３）の走行状態を「移動速」、「植付速」及び「中立」に切り替える副変速操作レバー（１０）を設け、該副変速操作レバー（１０）の操作位置を検知する副変速ポテンショメータ（１１）を設け、該副変速ポテンショメータ（１１）が副変速操作レバー（１０）の操作位置を「移動速」と検知しているとき、該レバーポテンショメータ（１１）が「植付下」を検知すると共に前記苗植付部（５）が所定高さまで下降したことを下降検知センサ（７）が検知すると、所定時間後に前記エンジン（１）を停止させることを特徴とする請求項１または２に記載の苗移植機とする。
【０００９】
請求項４に記載の発明は、前記走行車体の走行状態を「移動速」、「植付速」及び「中立」に切り替える副変速操作レバー（１０）を設け、該副変速操作レバー（１０）の操作位置を検知する副変速ポテンショメータ（１１）を設け、該副変速操作レバー（１０）を、「中立」位置から「駆動停止」に操作可能に構成し、前記走行車体（３）に操縦者が搭乗する操縦座席（２）を設け、該操縦座席（２）に操縦者の着座を検知する着座センサ（１２）を設け、前記副変速操作レバー（１０）が「駆動停止」位置であり、且つ該着座センサ（１２）が作業者の着座を検知していない状態で所定時間が経過すると前記エンジン（１）を停止させることを特徴とする請求項１または２に記載の苗移植機とする。
【００１０】
請求項５に記載の発明は、前記エンジン（１）が停止状態であり、且つ前記副変速操作レバー（１０）が「駆動停止」位置にあるときに、前記着座センサ（１２）が検知状態になるとエンジン（１）を始動させることを特徴とする請求項４に記載の苗移植機とする。
【発明の効果】
【００１１】
請求項１に記載の発明は、苗植付部（５）が所定高さまで下降し、所定時間が経過するとエンジン（１）が自動的に停止することにより、作業終了後に苗や肥料を下ろす際、エンジン（１）がアイドリング状態であり続けることを防止できるので、余分な燃料が消費されず、燃料の消費が軽減される。
【００１２】
また、植付操作（６）レバーが「植付下」であるときのみ、所定時間経過後にエンジン（１）を停止させることにより、苗植付作業中である「植付入」のときには植付作業中にエンジン（１）が停止することを防止できるので、作業能率が向上する。
【００１３】
請求項２に記載の発明は、請求項１に記載の発明の効果に加えて、停止選択スイッチ（９）を設けたことにより、圃場内での苗植付部（５）への苗の補充や、メンテナンス作業等のために苗植付部（５）を下降操作する際、苗植付部（５）が所定高さまで下がったときにエンジン（１）が自動停止することを防止できるので、苗の補充やメンテナンス等の作業を能率よく行なうことができる。
【００１４】
また、停止選択スイッチ（９）を押したときのみエンジン（１）の停止制御を行なわない構成としたことにより、エンジン（１）の停止制御を入れ忘れてアイドリング状態で長時間停止することを防止できるので、燃料の節約が図られる。
【００１５】
請求項３に記載の発明は、請求項１または２に記載の発明の効果に加えて、副変速操作レバー（１０）が「移動速」であるときにのみ、苗植付部（５）を所定高さまで下降させると、所定時間後にエンジン（１）が停止する構成としたことにより、苗の植付作業や苗の補充等のために苗植付部（５）を下降させる機会の多い植付作業中は条件を満たしてもエンジン（１）が停止しないので、エンジン（１）を再始動させる操作が不要となり、作業能率が向上する。
【００１６】
また、苗移植機で圃場まで移動し、作業開始前に苗や肥料を補充する際にエンジン（１）を切り忘れていても、エンジン（１）が自動的に停止するので、燃料の節約が図られる。
【００１７】
請求項４に記載の発明は、請求項１または２に記載の発明の効果に加えて、操縦者が所定時間以上操縦座席（２）から離れるとエンジン（１）を停止させることにより、苗や肥料の補充等、時間のかかる作業の際にアイドリング状態となることを防止できるので、燃料の節約が図られる。
【００１８】
また、副変速操作レバー（１０）を「駆動停止」位置に操作しているときのみエンジン（１）の自動停止が行われることにより、作業者が意図しないエンジン（１）の停止を防止することができるので、エンジン（１）を再始動させる操作が不要となり、作業能率が向上する。
【００１９】
請求項５に記載の発明は、請求項４に記載の発明の効果に加えて、副変速操作レバー（１０）が「駆動停止」位置にあるときに作業者が操縦座席（２）に着座するとエンジン（１）が再始動することにより、エンジン（１）を再始動させる際のその他の操作が不要になり、作業能率が向上する。
【図面の簡単な説明】
【００２０】
【図１】苗移植機の側面図
【図２】苗移植機の平面図
【図３】ステアリングポスト部の平面図
【図４】（Ａ）副変速操作レバー部の背面図、（Ｂ）副変速操作レバー部の背面図
【図５】エンジン制御のブロック図
【図６】苗植付部を下降させるときのエンジン制御のフローチャート
【図７】停止選択スイッチでエンジン制御を選択する際のフローチャート
【図８】着座センサの検知で制御する際のフローチャート
【図９】モニタ制御部のブロック図
【図１０】モニタ制御部のフローチャート
【図１１】フローチャートの別実施例を示すフローチャート
【図１２】（Ａ）展開状態の予備苗枠を示す平面図、（Ｂ）予備苗枠を旋回させた状態を示す平面図
【図１３】予備苗枠の旋回時の制御ブロック図
【図１４】予備苗枠の旋回時のフローチャート
【発明を実施するための形態】
【００２１】
図面に基づいて、前輪１６と後輪１７を配置して、操縦座席２の下側に搭載のエンジン１によって連動駆動して走行する乗用四輪走行形態の車体３の後部に、昇降シリンダ１８の伸縮によって、リヤフレーム１９に対して昇降回動される平行リンク形態の昇降リンク機構４が設けられて、この昇降リンク機構４後端部のヒッチリンク２０にローリング軸２１部を介して苗植付部５の植付部フレーム２２がローリング自在に連結される。
【００２２】
前記車体３は、操縦座席１２の前方にステアリングポスト２３や、この上端部のハンドル２４、及びボンネット２５等を構成し、このハンドル２４によって前輪１６を走行して走行運転する。これら座席１２、センタフロア２６、及びボンネット２５部等の左右両側部には広幅のサイドフロア２７を配置して、操縦者が車体３上を前後方向へ移動し易くしている。
【００２３】
前記センタフロア２６の下側には、ミッションケース２８や、油圧無段変速装置２９等が設けられ、前記エンジン１から油圧無段変速装置２９をベルト３０連動して、ミッションケース２８の連動機構を伝動する。このミッションケース２８の連動機構から左右両側部のフロントアクスルハウジング３０内の連動機構を介して前輪１６を伝動駆動し、ミッションケース２８の後側部に取出される後輪連動軸３１を介して、リヤアクスルハウジング３２に軸装の後輪１７を伝動駆動し、ミッションケース２８の後側部に取出されるＰＴＯ軸３３が車体３後部に延出されて、前記苗植付部５の入力軸３４を連動し、このＰＴＯ軸３３の途中部から走行車体３の後部のリヤフレーム１９上の施肥装置３５を連動する形態である。
【００２４】
前記前輪１６、後輪１７、及びＰＴＯ軸３３を連動する伝動系には、主変速装置を油圧無段変速装置２９によって構成して、前記ハンドル２４の左手側に配置の走行操作レバー１３によってレバーガイド３６に形成のクランク状形態の案内溝３７に沿って「中立」Ｎ位置から「前進」Ｆ位置、又は「後進」Ｒ位置へ操作して、油圧無段変速装置２９のトラニオン軸をシフト連動して、「中立」Ｎの走行停止の位置から「前進」Ｆ増速走行の位置、又は「後進」Ｒ増速走行の位置に主変速操作することができる。
【００２５】
前記主変速装置２９から駆動される副変速装置が、ミッションケース２８内に設けられて、前記ハンドル２４の足元部に配置の副変速操作レバー１０によって、レバーガイド３８に形成の案内溝３９に沿って、中央部に位置する「中立」Ｐ位置、及び「駆動停止」Ｑ位置から、「移動速」Ｈ位置、又は「植付速」Ｌ位置へ操作して、走行車体３の走行伝動を、路上走行速に適応する伝動状態「移動速」Ｈにしたり、苗植付部５における苗植付に適する伝動状態「植付速」Ｌにしたり、苗植付部５は伝動可能であるが、走行伝動を切りにする「中立」Ｐにしたり、更には「中立」Ｐ位置近くで、エンジン１の回転を停止する停止制御を受けることが可能な位置「駆動停止」Ｑに切替操作することができる、前記角副変速操作位置を検知する副変速ポテンショメータ１１が設けられている。
【００２６】
前記ハンドル２４の右手側には、植付操作レバー６が設けられている。この植付操作レバー６は、レバーガイド４０の案内溝４１を前後方向にシフトされて、前記昇降シリンダ１８の伸縮によって昇降される苗植付部５の状態位置を示す「植付上」ａ位置、昇降シリンダ１８の伸縮作動の停止する「昇降中立」ｃ位置、苗植付部５を苗植姿勢位置へ下降させる「植付下」ｂ位置、及び、苗植姿勢位置に下降された苗植付部５の伝動を入りにすることのできる「植付入」ｄ位置にシフトすることができ、このシフト操作によってレバー位置を検知するレバーポテンショメータ８が設けられている。
【００２７】
前記ボンネット２５の上端面には、操作パネル４２には、各種パイロットランプ４３、４４や、ダイヤル４５、及び前記エンジン１の停止選択スイッチ９を設けている。この停止選択スイッチ９を押し操作することによって、所定条件のもとでエンジン１が自動的に停止される。
【００２８】
前記走行車体３の前端中央部には、走行視準のセンタポールマーカ４６を設け、サイドフロア２７の外側部にマット苗を複数段に積載する補助苗載棚枠（予備苗枠）４７を設ける。
【００２９】
前記苗植付部５は、植付部フレーム２２の下部にセンタフロート４８、及びサイドフロート４９をフロート軸５０周りに上下揺動自在に支持して、走行土壌面を滑走しながら植付面を均平することができる。この植付部フレーム２２の上方には、後下り傾斜の苗タンク５１を左右往復移動するように支持構成されて、前上端部から供給されるマット苗を支持して、タンク底部の繰出ベルトの間歇的駆動によって繰出すことができる。
【００３０】
また、植付部フレーム２２の後端部には、ダブルクランク機構形態の回転作動して、先端の植付爪５２を略楕円形状の植付軌跡線Ｄに沿って作動させて、この下動行程で前記苗タンク５１の後下端の苗取口ガイド５３の苗取口５４に繰出された苗を分離保持して、土壌面に植付ける植付装置５５の形態である。これら苗タンク５１、及び植付装置５５は横方向に一定間隔を有して配置の多条植（図例では四条植）形態にしている。
【００３１】
前記苗植付部５の前側には、一体的に昇降可能の代掻ロータ５６が、各フロート４８、４９の正面幅に対向して配置され、フロート４８、４９で均平する土壌面を予め代掻ロータ５６で掻き均して均平し易くする。各代掻ロータ５６は、前記リヤアクスルハウジング３２内の連動機構から取出される連動軸５７を介して伝動回転される。
【００３２】
また、この代掻ロータ５６は、ロータ支持機構５８を介して植付部フレーム２２の前側上部に吊下げられて、代掻抵抗を受けて植付部フレーム２２の昇降に対して、独自にも昇降することができる形態である。
【００３３】
前記苗植付部５は、センタフロート４８の仰角揺動によって、仰角センサ５９の検知により昇降シリンダ１８の油圧回路の制御弁が切替えられて、深い土壌面の走行植付では苗植付部５を上昇し、浅い土壌面の走行植付では下降して、土壌面に対する苗植付深さが一定に維持できる形態に構成している。
【００３４】
前記苗移植機を路上走行のように比較的高速度で走行するときは、苗植付部５を非苗植姿勢位置に上昇させておき、この苗植付部５のＰＴＯ軸３３からの伝動は切りにしておき、しかも副変速装置を「移動速」Ｈ位置、乃至「植付速」Ｌ位置に操作しておくもので、エンジン１を始動させた状態で、植付操作レバー６を「植付上」ａ位置へ操作して、苗植付部５を接地面から上昇させた姿勢に維持する。この状態で走行操作レバー１３を、「中立」Ｎ位置から「前進」Ｆ位置、乃至「後進」Ｒ位置へ操作して、油圧無段変速装置２９の伝動による走行速度を制御操作することができる。この走行を停止するときは、走行操作レバー１３を「中立」Ｎに戻して、ブレーキペダル６０を踏んで制動させる。
【００３５】
苗移植機を補助の苗植行程において、植付作業するときは、前記走行操作レバー１３を「中立」Ｎ位置にして、副変速操作レバー１０を「植付速」Ｌ位置に操作し、植付操作レバー６を「昇降中立」ｃ位置から「植付下」ｂ位置、又は「植付入」ｄ位置にする。そして、この植付操作レバー６を「植付入」ｄ位置に操作した状態で、走行操作レバー１３を「前進」Ｆ位置側へシフト操作することによって、前記副変速操作レバー１０によって設定された「植付速」Ｌ伝動による走行速のもとに苗植付部５による苗植作業が行われる。
【００３６】
前記苗移植機において、エンジン１を駆動、停止するエンジン制御装置は、図５のようにコントローラ６１の入力側に、植付操作レバー６の操作位置を検知するレバーポテンショメータ８や、副変速操作レバー１０の操作位置を検知する副変速ポテンショメータ１１、操縦者の押し操作で選択される停止選択スイッチ９、センタフロータ４８の揺動角を検知する仰角センサ５９、昇降リンク機構４の昇降角を検知するリンクセンサからなる下降検知センサ７、及び操縦座席２に作業者が着座したことを検知する着座検知センサ１２等を配置し、出力側にエンジン１を始動したり、駆動を停止するためエンジン１スイッチを設け、駆動を停止するためのエンジン停止スイッチを設け、コントローラ６１の内部には、エンジン１を停止するための所定時間を管理するタイマーＴを設けている。
【００３７】
前記植付操作レバー６によって苗植付部５を下降操作しているときに、エンジン１を自道程に停止制御する場合は、図６のように、植付操作レバー６を操作して（ステップＳ１）、昇降シリンダ１８の作動で苗植付部５を下降する（Ｓ２）。このとき植付操作レバー６の操作位置をレバーポテンショメータ８で検知し（Ｓ３）、昇降リンク機構４の下降による苗植付部５の下降位置を下降検知センサ７によって検知している（Ｓ４）。
【００３８】
ここで、停止選択スイッチ９がエンジン停止の選択に操作されていないで（Ｓ５）、前記レバーポテンショメータ８が「植付下」ｂ位置を検知し（Ｓ６）、かつ、下降検知センサ７が、苗植付部５が所定高さまで下降したことを検知する（Ｓ７）ことによって、タイマーＴのカウントを開始する（Ｓ８）。そして、所定時間を経過する（Ｓ９）ことによって、エンジン１を自動的に停止する（Ｓ１０）。前記停止選択スイッチ９がエンジン自動停止制御に選択されているときは（Ｓ５）、レバーポテンショメータ８が「植付下」ｂ位置を検知しても、これだけでは、エンジン１を自動的に停止させることにはならない。苗植装置１の伝動入りで植付しているときは、表土の凹凸で苗植装置１部が最下位置に下がってもエンジン１は停止させない。
【００３９】
次に、副変速操作レバー１０を「移動速」Ｈ位置に操作しているときの、エンジン１の自動的停止制御については、図７のように作動される。植付操作レバー６（Ｓ１）、副変速操作レバー１０（Ｓ２）、を操作して苗植付部５を「植付下」ｂ位置、又は「植付入」ｄ位置に下降する（Ｓ３）。このときレバーポテンショメータ８が植付操作レバー６の操作位置を検知し（Ｓ４）、副変速ポテンショウメータ１１が副変速操作レバー１０の操作位置を検知し（Ｓ５）、又、下降検知センサ７が苗植付部５の下降位置を検知している（Ｓ６）。
【００４０】
ここで、停止選択スイッチ９がエンジン停止の選択に操作されていないで、副変速操作レバー１０が「移動速」Ｈ位置に操作されて（Ｓ８）、レバーポテンショメータ８が「植付下」ｂ位置を検知し（Ｓ９）、かつ、下降検知センサ７が、苗植付部５が所定高さまで下降したことを検知した（Ｓ１０）ことによって、タイマーＴのカウントを開始して（Ｓ１１）、所定時間経過する（Ｓ１２）と、エンジン１を自動的に停止する（Ｓ１３）、前記停止選択スイッチ９がエンジン自動停止制御に選択されているときは（Ｓ７）、副変速操作レバー１０が「移動速」Ｈ位置にあって（Ｓ８）も、レバーポテンショメータ８が「植付下」ｂ位置を検知（Ｓ９）していても、これだけではエンジン１を自動的に停止されることにはならない。
【００４１】
次に、前記操縦座席２の着座センサ１２の検知によってエンジン１の自動停止制御を行わせる形態は、図８の如きフローによって行われる。副変速操作レバー１０の操作（Ｓ１）によって、副変速ポテンショメータ１１が副変速位置を検知し（Ｓ２）て、着座センサ１２が検知する状態にあって（Ｓ３）、副変速操作レバー１０が「駆動停止」Ｑ位置に操作される（Ｓ４）ことによって、しかも、着座センサ１２が作業者の着座を検知しない（Ｓ５）ときは、タイマーＴのカウントを開始して（Ｓ６）、所定時間経過により（Ｓ７）、エンジン１を自動的に停止する。
【００４２】
そして、前記副変速操作レバー１０が「駆動停止」Ｑ位置にあって、（Ｓ９）、しかも着座センサ１２が着座を検知しているとき（Ｓ１０）ときは、前記のように一旦停止されたエンジン１も再始動される（Ｓ１１）。
【００４３】
ここにおいて、エンジン１、及び操縦座席２を配置した乗用走行車体３の後部に昇降リンク機構４を介して昇降可能の苗植付部５を装着し、前記苗植付部５の昇降操作、及びこの苗植付部５による苗植付作動を操作して、最下降位置、又は植付伝動入り位置の「植付下」ｂ、乃至「植付入」ｄ位置、及び非苗植位置の「昇降中立」ｃ、「植付上」ａ位置に操作可能の植付操作レバー６を設け、前記苗植付部５の下降を検知する下降検知センサ７と、この植付操作レバー６の操作位置を検知するレバーポテンショメータ８を設け、前記レバーポテンショメータ８が「植付下」ｂの位置を検知しているとき、前記苗植付部５が所定高さまで下降したことを、前記下降検知センサ７が検知することによって、所定時間後に前記エンジン１を自動的に停止することを特徴とする苗移植機のエンジン制御装置の構成とする。
【００４４】
苗移植機は、走行車体３に搭載のエンジン１の駆動によって伝動走行し、苗植付部５を伝動して苗植作用を行わせる。この苗植付部５は車体３に設ける植付操作レバー６の操作によって昇降されて、この植付装置レバー６の操作位置に、苗植付部５の昇降位置を維持させる「昇降中立」ｃ位置や、路上走行乃至圃場面の単なる走行移動時のように苗植付部５を上昇させた姿勢で走行移動するときの「植付上」ａ位置、走行する圃場土壌面に苗植付部５底部のフロートを設置指示させるときの「植付下」ｂ位置、及び、この苗植付部５の下降「植付下」ｂ位置で、苗植付伝動を行わせて苗植付作動を行わせる「植付入」ｄ位置等に昇降させることができる。
【００４５】
この操作において、植付操作レバー６の操作位置をレバーポテンショメータ８が「植付下」ｂ位置を検知しているとき、苗植付部５が所定高さの位置まで下降したことを、下降検知センサ７が検知することによって、所定時間（例えば、３０〜６０秒）後に前記エンジン１を自動的に停止する。そして、前記レバーポテンショメータ８が「植付下」ｂ位置を検知していても、「植付入」ｄ位置を検知しているときは、エンジン１は停止されないで、苗植付伝動可能の状態に継続される。
【００４６】
また、前記レバーポテンショメータ８と下降検知センサ７が検知状態にあるとき、エンジン１を所定時間後に停止させるか、否かを選択する停止選択スイッチ９を設け、この停止選択スイッチ９を操作することにより、前記エンジン停止条件を満たしたとしも、エンジン１は停止しない。
【００４７】
苗植作業操作時に、停止選択スイッチ９を操作して、レバーポテンショメータ８と毛項検知センサ７が検知状態であるときに、エンジン１を所定時間後に停止させることを選択すると、この条件を満すことによってエンジン１が自動的に停止されるが、エンジン１を停止しない牽制位置へ選択しておくと、条件を満たしたとしてもエンジン１は停止しない。
【００４８】
また、前記走行車体３には、走行伝動の変速位置を伝動切りの「中立」Ｐ位置、及び走行速の高い位置の「移動速」Ｈ、又は低い位置で苗植付作動可能の「植付速」Ｌ位置に操作可能の副変速操作レバー１０と、この操作位置を検知する副変速ポテンショメータ１１を設け、前記副変速ポテンショメータ１１が副変速操作レバー１０の「移動速」Ｈ位置を検知しているときに、前記レバーポテンショメータ８が「植付下」ｂ位置を検知すると共に、下降検知センサ７により苗植付部５が所定高さまで下降したことを検知すると、所定時間後にエンジン１を自動的に停止する。
【００４９】
前記苗移植機は、エンジン１の回転を油圧無段変速装置の如き主変速装置を介して走行伝動、及び苗植装置の苗植伝動する主変速伝動装置と、これら主変速伝動装置の一部に組込まれているギヤ変速形態等の副変速装置を配置して、この副変速装置を副変速操作レバー１０の操作によって、前記走行伝動、及び苗植付伝動を切りにする「中立」Ｐ位置や、走行伝動を路上走行の如き比較的高速伝動状態とする「移動速」Ｈ、及び、圃場土壌面を比較的低速走行しながら苗植付部５による苗植付作用を行わせる伝動状態の「植付速」Ｌに切替操作することができる。
【００５０】
そして、副変速レバー１０の副変速ポテンショメータ１１が、「移動速」Ｈ位置を検知しているとき、前記レバーポテンショメータ８が「植付下」ｂ位置を検知すると共に、苗植付部５が所定の高さまで下降したことを下降検知センサ７が検知すると、所定時間後にエンジン１を自動的に停止する。
【００５１】
更には、前記副変速操作レバー１０を「中立」Ｐ位置からエンジン停止制御を受けることの可能な「駆動停止」Ｑ位置に操作可能に設け、前記副変速操作レバー１０が「駆動停止」Ｑ位置であり、前記操縦座席２の座席センサ１２が操縦者の着座を検知しないで、所定時間が経過すると、前記エンジン１を自動的に停止する。
【００５２】
前記苗移植機の苗植作業において、前記副変速操作レバー１０が「駆動停止」Ｑ位置にあり、着座センサ１２が作業者の着座を検知していない状態であるときは、この状態で所定時間が経過すると自動的にエンジン１を停止する。
【００５３】
又、前記のように副変速操作レバー１０が「駆動停止」Ｑ位置にあって、エンジン１が停止状態にあっても、着座医センサ１２が着座を検知することによって、停止していたエンジン１が再始動される。
【００５４】
次に、主として、図９から図１１に基づいて、燃料量表示と、バッテリ残量表示をディスクプレイ７１に切替表示可能にする。燃料計をバッテリメータ兼用のプログラム設定形態とすることもできる。
【００５５】
このモニタ制御のコントローラ６５には、（Ａ）、入力側にメインキースイッチ６６や、操向マーカスイッチ６７、マーカ左右切替スイッチ６８、電圧センサ６９、燃料センサ７０、タイマーＴ１、及び、出力側にディスプレイ７１等を配置した形態で、前記表示切替には、マーカ操作スイッチを利用して、このマーカスイッチ６７をＯＦＦで、かつマーカ左右切替スイッチ６８を押した時に、ディスプレイ７１の表示をバッテリメータに切替える。キースイッチ６６のＯＮ後、５秒間バッテリメータの表示をした後に燃料計の表示に切替える。
【００５６】
このため、作業開始時にバッテリ６４が使用できるか、否かを直ちに判別できる。
前記制御のフロー（Ｂ）は、電圧センサ６９の検知（Ｓ１）や、燃料センサ７０の検知（Ｓ２）状態で、前記マーカスイッチ６７とマーカ左右切替スイッチ６８による切替えによって（Ｓ３）、バッテリ残量の表示に切替え（Ｓ４）、左右切替スイッチ６８の押し操作を解放したときは燃料表示に戻る（Ｓ５）。
【００５７】
又、図１１の制御形態で、上例と異なる点は、前記キースイッチ６６をＯＮ操作する（Ｓ１）ことによって、タイマーＴ１カウント開始して（Ｓ４）、所定時間（例えば、５秒間）を経過するか、否かをみて（Ｓ５）、時間経過すればディスプレイ７１に燃料残量を表示する（Ｓ６）。
【００５８】
または、前記所定時間Ｔ１＝５秒を経過しない間は、ディスプレイ７１にバッテリ６４の残量電圧を表示させる（Ｓ７）。そして、このバッテリ６４の残量電圧の表示中に所定時間（Ｔ１＝５秒）を経過すると（Ｓ８）、ディスプレイ７１に燃料の残量を表示される（Ｓ９）。
【００５９】
次に、主として図１２から図１４に基づいて、苗移植機の操向姿勢をバランス維持させるもので、車体３の左右方向の傾斜によって、この傾斜上り側の補助苗載枠４７を外方へ旋回させて張出す姿勢にして、車体３部の側方傾斜を軽減するものである。前記補助苗載棚枠４７は、左右サイドフロア２７の外側部に配置されて、複数段の苗載棚７５を形成し、支持フレーム７６に対して上下方向の回動軸７７の周りに前後方向略９０度域を旋回可能で、コントローラ７８から電動されるモータ７９によって、ギヤ８０機構を介して回動旋回される。
【００６０】
また、この苗載棚７５は、下段部に対して上段部が前後方向へスライドして、苗載棚７５の張出長さを長短に変更できる形態としている。補助苗載棚枠４７にマット苗を積込むときは、畝際に止めた苗移植機から苗載棚７５を前方（Ａ）、又は横方向（Ｂ）へ長く張出移動させて、マット苗の積込を行い易くすることができる。このような苗移植機の車体３には、左右方向の傾斜角を検出する傾斜センサ８１を設け、この傾斜センサ８１の検出によって（Ｓ１）、車体３が所定角度以上に大きく傾斜したことを検知すると（Ｓ２）、モータ７９を出力して（Ｓ３）、車体３の傾斜上り側の補助苗載棚枠４７を外側（Ｂ）へ回動させて（Ｓ４）、この補助苗載棚４７の重量で車体３の側方傾斜を左右水平状姿勢に戻すように重量バランスして、車体３の左右傾斜を小さくする。
【００６１】
この補助苗載棚枠４７の前後方向に沿う姿勢位置（Ａ）から外側方へ回動する外方旋回角をポテンショメータ８２で検出して（Ｓ５）、旋回角度が車体３の前後方向（Ａ）に対して略直交状の９０度の位置（Ｂ）になると（Ｓ６）、モータ７９の駆動が停止される（Ｓ７）。マット苗が各苗載棚７５のうけられている状態では、この苗載棚７５が外側位置に旋回されるに伴って順次重心位置が旋回側へ移動する。
【符号の説明】
【００６２】
１  エンジン
２  操縦座席
３  走行車体
４  昇降リンク機構
５  苗植装置
６  植付操作レバー
７  下降検知センサ
８  レバーポテンショメータ
９  停止選択スイッチ
１０  副変速操作レバー
１１  副変速ポテンショメータ
１２  着座センサ
【図１】
2014166153.tif 000003
【図２】
2014166153.tif 000004
【図３】
2014166153.tif 000005
【図４】
2014166153.tif 000006
【図５】
2014166153.tif 000007
【図６】
2014166153.tif 000008
【図７】
2014166153.tif 000009
【図８】
2014166153.tif 000010
【図９】
2014166153.tif 000011
【図１０】
2014166153.tif 000012
【図１１】
2014166153.tif 000013
【図１２】
2014166153.tif 000014
【図１３】
2014166153.tif 000015
【図１４】
2014166153.tif 000016